(57)【要約】【課題】電子機器を壁に取り付ける際に、スタンドが電子機器本体から外れたり、電子機器本体が落下したりすることを防止する電子機器の壁掛構造を提供する。【解決手段】電子機器の壁掛構造は、電子機器本体１，２と、電子機器本体の底面２ａにおいて壁掛使用する際の上下方向に回動可能に設けられたスタンド５と、電子機器本体の底面に形成され、壁に固定された第１の被取付部材Ｘに係合する第１の壁掛用取付部４と、スタンドの底面に形成され、壁に第１の被取付部材よりも上方に固定された第２の被取付部材Ｙに係合する第２の壁掛用取付部６と、を備え、第１の壁掛用取付部４は、弾性変形可能な底面を有する舌状凹部４ａと、第１の被取付部材を挟み込む挟み込み部４ｂと、を有し、第２の壁掛用取付部６は、第２の被取付部材に係合する係合部６ａを有する。【選択図】図５
2020155978.tif 000002
【特許請求の範囲】
【請求項１】
電子機器の壁掛構造であって、
電子機器本体と、
前記電子機器本体の底面において壁掛使用する際の上下方向に回動可能に設けられたスタンドと、
前記電子機器本体の底面に形成され、壁に固定された第１の被取付部材に係合する第１の壁掛用取付部と、
前記スタンドの底面に形成され、前記壁に前記第１の被取付部材よりも上方に固定された第２の被取付部材に係合する第２の壁掛用取付部と、を備え、
前記第１の壁掛用取付部は、弾性変形可能な底面を有する舌状凹部と、前記第１の被取付部材を挟み込む挟み込み部と、を有し、
前記第２の壁掛用取付部は、前記第２の被取付部材に係合する係合部を有する、
ことを特徴とする電子機器の壁掛構造。
【請求項２】
さらに、前記電子機器本体の底面及び前記スタンドの底面の一方に形成された係合リブと、他方に形成された切欠き部と、を備え、前記スタンドを折り畳んだ状態で前記係合リブが前記切欠き部に係合されることを特徴とする請求項１に記載の電子機器の壁掛構造。
【発明の詳細な説明】
【技術分野】
【０００１】
本発明は、電子機器の壁掛構造に関する。
【背景技術】
【０００２】
従来、電子機器、例えば電話機において、壁掛状態及び卓上状態の両方で使用可能な壁掛卓上兼用電話機が知られている。壁掛卓上兼用電話機としては、卓上使用の際は電話機本体の底面側に設けられたスタンドを起立させて電話機に角度を持たせて机に載置し、壁掛使用の際はそのスタンドを折り畳んで電話機を壁に掛けるものが知られている（例えば、特許文献１参照）。
【０００３】
例えば、特許文献１では、壁掛使用の際、壁に設置されるスイッチボックスが取り付けられる２つのネジのピッチに合わせて設けられた壁掛け用の上下２つの被取付部材に対し、壁に取り付ける際に上部の位置にあたる係合部は電話機本体のロアケースの裏側に取り付けられるスタンドの裏側に形成され、下部の位置にあたる係合部は電話機本体のロアケースの裏側に形成されている。
【０００４】
このような構造の壁掛卓上兼用電話機において、壁に取り付ける場合、上述したように、上部の係合部と下部の係合部を壁に取り付けられた取付部材に引っ掛けて固定されるが、上部の係合部を取付部材に引っ掛ける際に、取付部材を係合部に形成されている弾性係合片に反しかつ弾性係合片に形成されている突部からなる規制片を乗り越えた位置までスライドさせることにより固定が完了する。ユーザの動作的には電話機を上から壁に沿って下にスライドさせることとなる。さらにこのとき同時に下部の係合部も壁に取り付けられた下側の取付部材に引っ掛けて固定する必要がある。
【０００５】
しかしながら、このとき上部の取付部材に対して係合部を所定位置までスライドさせようとしたときに規制片を乗り越える必要があるためユーザは強い力や勢いが必要で、スタンドがロアケースから外れてしまうという問題があった。さらには、本来、上部と下部の係合部が壁側のそれぞれの取付部材に係合する必要があるが、上部の係合だけでもある程度固定できてしまうため、上部のみ係合した状態で気付かずに使用し、使用中に係合が外れたり、脚部と本体とが外れて、本体が落下し、最悪の場合は電話機が破損したりするという問題があった。
【先行技術文献】
【特許文献】
【０００６】
【特許文献１】特開２０１８ー１８１９９４号公報
【発明の概要】
【発明が解決しようとする課題】
【０００７】
本発明は、かかる課題に鑑みなされたものであり、電子機器を壁に取り付ける際に、スタンドが電子機器本体から外れたり、電子機器本体が落下したりすることを防止する電子機器の壁掛構造を提供することを目的とする。
【課題を解決するための手段】
【０００８】
上記した課題を解決するために、本発明は、以下の態様によって把握される。
（１）本発明に係る態様は、電子機器の壁掛構造であって、電子機器本体と、前記電子機器本体の底面において壁掛使用する際の上下方向に回動可能に設けられたスタンドと、前記電子機器本体の底面に形成され、壁に固定された第１の被取付部材に係合する第１の壁掛用取付部と、前記スタンドの底面に形成され、前記壁に前記第１の被取付部材よりも上方に固定された第２の被取付部材に係合する第２の壁掛用取付部と、を備え、前記第１の壁掛用取付部は、弾性変形可能な底面を有する舌状凹部と、前記第１の被取付部材を挟み込む挟み込み部と、を有し、前記第２の壁掛用取付部は、前記第２の被取付部材に係合する係合部を有する、ことを特徴とする。
【０００９】
（２）上記（１）に記載の構成において、さらに、前記電子機器本体の底面及び前記スタンドの底面の一方に形成された係合リブと、他方に形成された切欠き部と、を備え、前記スタンドを折り畳んだ状態で前記係合リブが前記切欠き部に係合される。
【発明の効果】
【００１０】
本発明によれば、電子機器を壁に取り付ける際に、スタンドが電子機器本体から外れたり、電子機器本体が落下したりすることを防止する電子機器の壁掛構造を提供することができる。
【図面の簡単な説明】
【００１１】
【図１】本発明の実施形態に係る電子機器（電話機）を上方右側から見た図であって、スタンドが起立した状態を示す。
【図２】本発明の実施形態に係る電子機器（電話機）を上方から見た図であって、スタンドが起立した状態を示す。
【図３】本発明の実施形態に係る電子機器（電話機）を後上方右側から見た図であって、スタンドが起立した状態を示す。
【図４】本発明の実施形態に係る電子機器（電話機）を後上方右側から見た図であって、スタンドが折り畳まれた状態を示す。
【図５】本発明の実施形態に係る電子機器（電話機）を後方から見た図であって、スタンドが折り畳まれた状態を示す。
【図６】図５のＡ−Ａ線断面図であって、スタンドが折り畳まれた状態を示す。
【図７】図５のＢ−Ｂ線断面図であって、（ａ）はスタンドが折り畳まれた状態を、（ｂ）はスタンドが起立した状態をそれぞれ示す。
【発明を実施するための形態】
【００１２】
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１３】
本実施形態は、電子機器の壁掛構造であって、電子機器本体と、電子機器本体の底面において壁掛使用する際の上下方向に回動可能に設けられたスタンドと、電子機器本体の底面に形成され、壁に固定された第１の被取付部材に係合する第１の壁掛用取付部と、スタンドの底面に形成され、壁に第１の被取付部材よりも上方に固定された第２の被取付部材に係合する第２の壁掛用取付部と、を備え、第１の壁掛用取付部は、弾性変形可能な底面を有する舌状凹部と、第１の被取付部材を挟み込む挟み込み部と、を有し、第２の壁掛用取付部は、第２の被取付部材に係合する係合部を有する。
【００１４】
電子機器の壁掛構造は、さらに、電子機器本体の底面及びスタンドの底面の一方に形成された係合リブと、他方に形成された切欠き部と、を備え、スタンドを折り畳んだ状態で係合リブが切欠き部に係合される。
【００１５】
本実施形態は、卓上使用及び壁掛使用の両方に対応する電子機器であれば特に限定はないが、以下では、電子機器としての電話機について、図１から図７を参照して説明する。図１は本実施形態に係る電話機を上方右側から見た図（スタンドが起立した状態）、図２は同じく電話機を上方から見た図（スタンドが起立した状態）、図３は同じく電話機を後上方右側から見た図（スタンドが起立した状態）、図４は同じく電話機を後上方右側から見た図（スタンドが折り畳まれた状態）、図５は同じく電話機を後方から見た図（スタンドが折り畳まれた状態）、図６は図５のＡ−Ａ線断面図（スタンドが折り畳まれた状態）、図７は図５のＢ−Ｂ線断面図（（ａ）はスタンドが折り畳まれた状態、（ｂ）はスタンドが起立した状態）をそれぞれ示している。
【００１６】
なお、図１から図７では、電話機のうち電話機本体１のロアケース２を図示しており、送受話器は省略している。また、アッパケースの符号は示していない。本実施形態がロアケース２とアッパケースに分かれていない電子機器に適用される場合は、以下の説明において、ロアケース２は、電子機器本体と読み替えるものとする。
【００１７】
また、図１に示すように、以下の説明では、省略した送受話器やアッパケースが配置される側を「前」、スタンド５が設けられている側を「後」、スタンド５が折り畳まれる方向Ｒ２を「上」、その反対側を「下」、「前」から見て向かって左側を「左」、「前」から見て向かって右側を「右」とする。これらの方向は互いに相対的なものであり、電話機本体１の配置状態に応じて合理的に解釈されるものである。
【００１８】
図１及び図２に示すように、電話機の概要は、次のとおりである。すなわち、電話機は、電話機本体１のロアケース２と、その底面２ａ（背面、後面ともいう）に設けられたスタンド５とを備える。スタンド５は、後述するように壁掛使用する際の上下方向に回動可能であるように設けられており、方向Ｒ１に向かって起立可能であるとともに、方向Ｒ２に向かって折畳み可能である。電話機を卓上使用する際には、スタンド５を所望の角度に起立させて使用し、電話機を壁掛使用する際には、スタンド５を折り畳んで使用する。以下、詳しく説明する。
【００１９】
図３に示すように、電話機本体１は、ロアケース２の底面２ａには、後側に向かって突出する突出部３が設けられている。突出部３は、電話機本体１に内蔵された各種要素を保護するとともに、スタンド５を折り畳んだ際に、電話機本体１が載置又は配置される机や壁などの対象物に対して平行になるように設定されている。
【００２０】
突出部３には、電話機本体１を壁に取り付ける際、あらかじめ壁に固定された図示しない一対の被取付部材のうちの下方に位置する第１の被取付部材Ｘに係合するための第１の壁掛用取付部４が形成されている。第１の壁掛用取付部４の詳細は、後述する。また、突出部３には、電話機本体１が卓上使用される場合にスタンド５を起立するように回動させるための左右一対の軸受部３ａ，３ａが形成されている。
【００２１】
スタンド５は、その基端側に左右一対の軸部５ａ，５ａを有しており、突出部３の左右一対の軸受部３ａ，３ａに回動自在に軸支されている。スタンド５は、電話機本体１を卓上使用する場合には、軸部５ａ，５ａを回動させることにより所望の角度に起立させて使用され、電話機本体１を壁掛使用する場合には、ロアケース２の底面２ａに接するように折り畳んだ状態で使用される。スタンド５を起立させる態様としては、無段階で停止できるようにしてもよいし、所定の複数の角度に段階的に係止できるようにしてもよい。
【００２２】
スタンド５の軸部５ａ，５ａと反対側の上端側の底面には、電話機本体１を壁に取り付ける際、あらかじめ壁に固定された図示しない一対の被取付部材のうち上方に位置する第２の被取付部材Ｙに係合するための第２の壁掛用取付部６が形成されている。第２の壁掛用取付部６の詳細は、後述する。
【００２３】
また、スタンド５の表面５ｂの基端側には、その中央寄りに、左右一対の延在部５ｄ，５ｄが設けられており、延在部５ｄ，５ｄには、それぞれ、切欠き部５ｃ，５ｃが形成されている。切欠き部５ｃ，５ｃは、スタンド５を折り畳んだ際、ロアケース２の底面２ａに設けられている左右一対の係合リブ２ｂ，２ｂに係合する。なお、図３では、右側の係合リブ２ｂのみが描画されているが、左側にも同様に係合リブ２ｂが設けられている。
【００２４】
スタンド５を折り畳んだ際に切欠き部５ｃ，５ｃと係合リブ２ｂ，２ｂが係合することにより、スタンド５の第２の壁掛用取付部６を上方の第２の被取付部材Ｙに取り付ける際に、スタンド５の軸部５ａ，５ａがロアケース２の軸受部３ａ，３ａから外れてしまうことを防止することができる。
【００２５】
なお、ここでは、スタンド５の側に切欠き部５ｃ，５ｃを、ロアケース２の底面２ａの側に係合リブ２ｂ，２ｂを設けた態様を示したが、凹凸の関係は、逆であってもよい。すなわち、ロアケース２の底面２ａ及びスタンド５の延在部５ｄ，５ｄの一方に係合リブ２ｂ，２ｂを、その他方に切欠き部５ｃ，５ｃを設けることにより、スタンド５を折り畳んだ状態で、いずれか一方に設けられた係合リブ２ｂ，２ｂが他方に設けられた切欠き部５ｃ，５ｃに挿入されればよい。
【００２６】
次に、図４を参照して、第１の壁掛用取付部４と第２の壁掛用取付部６について、説明する。まず、第１の壁掛用取付部４は、弾性変形可能な底面を有する舌状凹部４ａと、舌状凹部４ａとの間で第１の被取付部材Ｘを挟み込んで第１の被取付部材Ｘに係合する挟み込み部４ｂとで構成されている。
【００２７】
挟み込み部４ｂは、第１の被取付部材Ｘを誘い込み易いように、下方に向かって拡開する末広がり状に形成されることが好ましい。また、舌状凹部４ａの底面には、第１の被取付部材Ｘが係合した後に外れてしまうことを阻止するため、外側（後側）に向かって突出する突出阻止部４ｃが形成されることが好ましい。
【００２８】
次に、第２の壁掛用取付部６は、Ｕ字状に形成された係合部６ａを有しており、スタンド５の表面５ｂと係合部６ａの間に形成された空間に、第２の被取付部材Ｙを引っ掛けることで係合される。
【００２９】
上記のように構成された電話機本体１を壁掛使用する際の壁への取り付け方について、図５から図７を参照して説明する。
【００３０】
図５は電話機本体１をスタンドが折り畳まれた状態で後方から見た図である。すなわち、この状態で、第１の壁掛用取付部４は第１の被取付部材Ｘに、第２の壁掛用取付部６は第２の被取付部材Ｙに係合される。この状態を、図５のＡ−Ａ線（中央線）の断面で示すと、図６のとおりである。
【００３１】
図６に示すように、第１の壁掛用取付部４においては、舌状凹部４ａの窪みに第１の被取付部材Ｘが係合される。舌状凹部４ａの底面は、その上端がロアケース２の突出部３の枠体から開放されており、第１の被取付部材Ｘとの当接に対し弾性変形可能に構成される。これにより、電話機本体１を壁に掛ける際の力を吸収することができる。舌状凹部４ａの底面の略中央には突出阻止部４ｃが外側（後方）に向かって突出しており、第１の被取付部材Ｘからの脱落を阻止する。
【００３２】
第２の壁掛用取付部６においては、それによって形成されている空間に第２の被取付部材Ｙが挿入され、係合部６ａに係合される。
【００３３】
実際に、電話機本体１を壁に取り付けて使用する場合には、ユーザは、スタンド５をロアケース２の底面２ａに付けるように折り畳んで、壁に取り付けられている２つの被取付部材Ｘ，Ｙのうちの下方の第１の被取付部材Ｘに第１の壁掛用取付部４を係合すると同時に、上方の第２の被取付部材Ｙには第２の壁掛用取付部６を係合する。
【００３４】
このとき、第２の壁掛用取付部６は、第１の壁掛用取付部４の舌状凹部４ａや突出阻止部４ｃのような弾性変形可能な部材ではなく、第２の被取付部材ＹにＵ字状の係合部６ａを引っ掛けるだけであることから、係合したとしても安定せず、ユーザは第１の壁掛用取付部４を第１の被取付部材Ｘに係合する必要があることに気付くことになる。また、第２の壁掛用取付部６を取り付ける際には、舌状凹部４ａや突出阻止部４ｃを乗り越える力を必要としないため、スタンド５に無理な力がかからず、スタンド５が外れて電話機本体１が落下することを防止することができる。
【００３５】
また、万が一、ユーザが取り付けの際に強い力で下方にスライドさせたとしても、図５のＢ−Ｂ線（中央線であるＡ−Ａ線から外側に偏位した線）の断面を示した図７（ａ）に示すように、スタンド５の切欠き部５ｃ，５ｃとロアケース２の係合リブ２ｂ，２ｂとが係合し、スライド方向の動きを規制するため、スタンド５が外れて本体が落下してしまうことがない。図７（ｂ）は、スタンド５の切欠き部５ｃ，５ｃとロアケース２の係合リブ２ｂ，２ｂの位置関係を示すため、スタンド５が起立した状態で示したものである。
【００３６】
ここで、第１の壁掛用取付部４には付勢力に抗して第１の被取付部材Ｘに取り付けるため、第２の壁掛用取付部６を取り付ける以上の力で取り付ける必要がある。しかしながら、第１の壁掛用取付部４は、電話機本体側１のロアケース２の底面２ａに形成されているため、力を入れて取り付けたとしても問題ない。
【００３７】
以上のような構成としたことから、本実施形態に係る電子機器の壁掛構造は、電子機器本体を壁に取り付ける際に、スタンドが電子機器本体から外れたり、電子機器本体が落下したりすることを防止することができる。
【００３８】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００３９】
１…電話機本体（電子機器本体）
２…ロアケース（電子機器本体）
２ａ…底面
２ｂ…係合リブ
３…突出部
３ａ，３ａ…軸受部
４…第１の壁掛用取付部
４ａ…舌状凹部
４ｂ…挟み込み部
４ｃ…突出阻止部
５…スタンド
５ａ…軸部
５ｂ…表面
５ｃ…切欠き部
５ｄ…延在部
６…第２の壁掛用取付部
６ａ…係合部
Ｘ…下方の第１の被取付部材
Ｙ…上方の第２の被取付部材
【図１】
2020155978.tif 000003
【図２】
2020155978.tif 000004
【図３】
2020155978.tif 000005
【図４】
2020155978.tif 000006
【図５】
2020155978.tif 000007
【図６】
2020155978.tif 000008
【図７】
2020155978.tif 000009